(57)【要約】【課題】複雑な作業を伴うことなく回り階段を構成できる接合金具を提供する。【解決手段】垂直方向に立設された支持体に固定される第一部材と、水平方向に配置される板材に固定される第二部材とを備え、支持体を中心にした回り階段を実現する接合金具である。柱に固定される第一部材１と、水平方向に配置される板材ＢＯに固定される第二部材２とを備え、柱を中心にした回り階段を実現する接合金具である。第一部材１に複数の凹部７が形成される一方、第二部材２に凸部１２が形成され、凹部と凸部の係合位置が適宜に変更される。【選択図】          図１
2004238932.tif 000002
【特許請求の範囲】
【請求項１】
垂直方向に立設された支持体に固定される第一部材と、水平方向に配置される板材に固定される第二部材とを備え、前記支持体を中心にした回り階段を実現する接合金具であって、
前記第一部材に係合部が設けられる一方、前記第二部材に被係合部が設けられ、前記係合部と被係合部との係合位置が適宜に変更可能に構成されていることを特徴とする接合金具。
【請求項２】
垂直方向に立設された支持体に固定される第一部材と、水平方向に配置される板材に固定される第二部材とを備え、前記支持体を中心にした回り階段を実現する接合金具であって、
前記第一部材に係合部が設けられる一方、前記第二部材に被係合部が設けられ、前記第一部材に前記第二部材が挿入されることによって、前記係合部と前記被係合部が係合するようになっていることを特徴とする接合金具。
【請求項３】
前記第一部材には円筒体が形成され、この円筒体に前記係合部が設けられている請求項１又は２に記載の接合金具。
【請求項４】
前記第二部材には円柱体が形成され、この円柱体が前記第一部材の一部に挿入されるようになっている請求項１〜３の何れかに記載の接合金具。
【請求項５】
請求項１〜４の何れかに記載の接合金具を使用して構成された回り階段。
【請求項６】
請求項１〜４の何れかに記載の接合金具を使用して構成された建築物。
【発明の詳細な説明】
【０００１】
【発明の属する技術分野】
本発明は、木造建築の回り階段を構成する際に好適に使用される接合金具に関する。
【０００２】
【従来の技術】
木造建築は、鉄筋コンクリート製の建築物などと異なり、木材が本来持っている温かみを享受できる点で優れており、広く多くの人々に支持されている。但し、人口密度の高い日本では、敷地面積に限界があるため、１階建ての住宅は稀であり、一般には２階建て以上の木造建築となっている。
【０００３】
【発明が解決しようとする課題】
そのため、下の階から上の階に至る階段が必然的に必要となり、特に回り階段が必要になる場合がある。
【０００４】
しかしながら、従来の技術では、この回り階段を実現するのが極めて困難であった。ここで、現場の作業に困難性がなく簡単に回り階段を実現することができれば、住宅設計にバリエーションが増加する結果、斬新な設計も可能となり、極めて有効である。
【０００５】
本発明は、この着想に基づいてなされたものであって、複雑な作業を伴うことなく回り階段を構成できる接合金具を提供することを課題とする。また、複雑な作業を伴うことなく構成される回り階段、及びそのような回り階段を実現できる建築物を提供することを課題とする。
【０００６】
【課題を解決するための手段】
上記課題を解決するために、請求項１に係る発明は、垂直方向に立設された支持体に固定される第一部材と、水平方向に配置される板材に固定される第二部材とを備え、前記支持体を中心にした回り階段を実現する接合金具であって、前記第一部材に係合部が設けられる一方、前記第二部材に被係合部が設けられ、前記係合部と被係合部との係合位置が適宜に変更可能に構成されている。
【０００７】
また、請求項２に係る発明は、垂直方向に立設された支持体に固定される第一部材と、水平方向に配置される板材に固定される第二部材とを備え、前記支持体を中心にした回り階段を実現する接合金具であって、前記第一部材に係合部が設けられる一方、前記第二部材に被係合部が設けられ、前記第一部材に前記第二部材が挿入されることによって、前記係合部と前記被係合部が係合するようになっている。
【０００８】
一方、請求項５に係る発明は、上記の接合金具を使用した回り階段であり、請求項６に係る発明は、上記の接合金具を使用した建築物である。なお、上記各発明は木造建築物に好適に使用されるが、これに限定されるものではない。また、支持体は、典型的には断面正方形の四角柱であるが、円柱形状やその他の断面形状であっても良い。
【０００９】
上記各発明において、前記係合部と被係合部との係合は、実施例のような、凹凸形状による係合に限定されるものではなく、単純に当接されることで係合する態様も含まれる。したがって、請求項１における「係合部と被係合部との係合位置が適宜に変更可能」な構成も、例えば、円柱軸が円筒体に挿入された状態で、円柱軸が回転できるような場合も含まれる。
【００１０】
但し、係合部と被係合部とは凹凸形状によって係合されるのが典型的であり、凹凸形状の少なくとも一方を、複数個の凹部か複数個の凸部で形成するのが一般的である。なお、それら凹凸部は必ずしも複数個である必要はなく、単数個を排除する趣旨ではない。
【００１１】
前記第一部材には円筒体が形成され、この円筒体に前記係合部が設けられているのが好適である。また、前記第二部材には円柱軸部が形成され、この円柱軸部が前記第一部材の一部（好ましくは第一部材に設けられた円筒体）に挿入されるのも好適である。また、挿入された円柱軸部には嵌合部（実施例の切欠溝に限定されない）が形成されており、この嵌合部に装着片を装着して円柱軸部の抜け止めとするのが好適である。
【００１２】
更に好ましい実施態様では、第一部材の円筒体には、係合部として凹部又は凸部が形成され、これに対応して第二部材には被係合部として凸部又は凹部が形成されている。また、好ましい実施態様では、第一部材にはメイン円筒体とサブ円筒体が形成され、第二部材の一部である円柱軸部が、メイン円筒体とサブ円筒部を貫通して挿入されるよう構成されている。なお、サブ円筒体から露出する円柱軸部の先端部に嵌合部を形成しておき、これに装着片を装着して円柱軸部の抜けを防止するのが好適である。
【００１３】
【発明の実施の形態】
以下、本発明を実施例に基づいて本発明の実施の形態を詳細に説明する。図１は、実施例に係る接合金具ＥＱＵを示す斜視図である。この接合金具ＥＱＵは、柱の側面に固定される第一部材１と、回り階段を形成する水平板の下面に固定される第二部材２と、第二部材２を第一部材１に挿入した状態で保持する抜止めリング３とで構成されている。
【００１４】
第一部材１は、略平板状の本体部４に３つの円筒体５ａ，５ｂ，５ｃが溶接されて構成され、また、各円筒体５の両側位置に合計６個の取付け穴６…６が形成されている。この取付け穴６…６は、第一部材１を柱の側面に固定するための貫通穴であり、取付け穴６を通して木ネジなどがネジ込まれる。
【００１５】
図示の通り、本体部４の中央一端部には、屈曲片４ａが設けられている。この屈曲片４ａは、柱に対して第一部材１を位置決めする部分であり、柱の角に対応して本体部４から直角方向に屈曲形成されている。
【００１６】
円筒体５ａ，５ｂ，５ｃは、それぞれ同一径の貫通穴を有する円筒形状であるが、本体部４の上下端部に溶接されたメイン円筒体５ａ，５ｂと、中央位置に溶接されたサブ円筒体５ｃとに大別される。
【００１７】
上下のメイン円筒体５ａ，５ｂは、上下対称の同一形状であり、図１のように、本体部４の左側に屈曲片４ａを位置させるか、逆に、第一部材１を上下逆転させて本体部４の右側に屈曲片４ａを位置させるかを自由に選択できるようになっている。したがって、この接合金具ＥＱＵは、柱の全ての角を使用することができ、柱の任意の側面に固定することが可能となる（図４参照）。
【００１８】
また、上下のメイン円筒体５ａ，５ｂの外側端面には、図１に現われるように、複数の凹部７…７が形成されている。この実施例の場合、具体的には、１２個の凹部７…７が、３０°間隔の等ピッチで径方向に延設されている。
【００１９】
第二部材２は、回り階段を形成する水平板の下面に当接され固定される固定部８と、固定部８の貫通穴に挿入されて固着される円柱軸部９とで構成されている。そして、固定部８は、厚肉の基端部１０と、やや薄肉の延長部１１とに区分され、延長部１１は、平坦部１１ａと突出部１１ｂとで反転Ｕ字状に形成されている。
【００２０】
厚肉の基端部１０には、円柱軸部９を受入れる貫通穴１０ａが形成されていると共に、基端部１０の下面には、貫通穴１０ａの軸方向下向きに突起する一対の凸部１２が形成されている。この凸部１２は、第一部材１の円筒体５に形成された凹部７に嵌入される部分であり、凹部７に対応した形状でやや小さく形成されている。
【００２１】
この実施例の場合には、基端部１０の１８０°対称位置に一対の凸部１２，１２が設けられ、第一部材１のメイン円筒体５ａには、１２個の凹部７…７が設けられているので、第一部材１と第二部材２の位置関係は、組み立て角度が３０°ずつ相違する６パターンが存在することになる。
【００２２】
第二部材２の延長部１１の平坦部１１ａには、この実施例では、３個の取付け穴１３が形成されている。そして、平坦部１１ａの上面を木板に当接させ、取付け穴１３を通して木ネジをネジ込むことによって、第二部材２を木板に固定するようになっている。
【００２３】
円柱軸部９は、上側に位置するメイン円筒体５ａから挿入されてサブ円筒体５ｃを貫通する部材である。そして、この円柱軸部９には、基端部１０から距離Ｌだけ隔たった位置に、切込溝１４が円周上に形成されている。基端部１０から切込溝１４までの距離Ｌは、メイン円筒体５ａの上端面からサブ円筒体５ｃの下端面までの距離Ｌ’に対応して決定されており、Ｌ’≒Ｌであって、ＬはＬ’よりやや長く形成されている。したがって、円柱軸部９を円筒体５ａ，５ｃに挿入した状態では、サブ円筒体５ｃの下側に切込溝１４が現われることになる。
【００２４】
リング部材３は、切込溝１４に嵌合されるバネ性を有する部材であり、リング部材３を切込溝１４に嵌合させた状態でも、リング部材３の最外部が、円柱軸部９の外周面より充分外側に露出する大きさに形成されている。
【００２５】
そして、Ｌ’≒Ｌに設定されていることより、円柱軸部９を円筒体５ａ，５ｃに挿入した後、リング部材３を切込溝１４に嵌合すると、リング部材３とサブ円筒体５ｃとが係合することになり、その結果、第二部材２が第一部材１に固定されることになる。なお、リング部材３はバネ性を有するので、必要があれば、適宜な工具を用いてリング部材３を取り外すことも可能である。
【００２６】
続いて、以上の構成からなる接合金具ＥＱＵを使用した回り階段について説明する。図２（ａ）は、４枚の三角板材ＢＯ１〜ＢＯ４を用いて、時計方向に上昇してゆく回り階段を構成した実施例を示す平面図である。各三角板材ＢＯ１〜ＢＯ４の間には、段差を形成する矩形板材ＶＥＲＴが垂直方向に配置されるが、この矩形板材ＶＥＲＴの取付け位置は、他の部分も含め、図２（ａ）の破線で示されている。
【００２７】
なお、水平面に配置される４枚の板材ＢＯ１〜ＢＯ４は、全て略直角二等辺三角形に形成されているが、図３に示すように、一段目と三段目の板材ＢＯ１，ＢＯ３、及び二段目と四段目の板材ＢＯ２，ＢＯ４は、それぞれ終端部の形状も含め同一である。
【００２８】
この実施例では、４枚の板材ＢＯ１〜ＢＯ４に対応して４個の接合金具ＥＱＵ１〜ＥＱＵ４が使用されており、それぞれ中央の柱ＰＯに固定されている。一方、各板材ＢＯ１〜ＢＯ４における接合金具ＥＱＵの反対側は補助金具ＳＵによって保持されている。
【００２９】
補助金具ＳＵは、図２（ｂ）に示すように断面Ｌ字状に構成されており、水平方向に１つの貫通穴Ｈが形成され、垂直方向に２つの貫通穴Ｖが形成されている。そして、貫通穴Ｈを利用して補助金具ＳＵを側板に固定する一方、貫通穴Ｖを利用して補助金具ＳＵが板材ＢＯの下面に固定される。
【００３０】
図５〜図７は、柱に固定される接合金具ＥＱＵを説明するための図面である。なお、図５〜図７は取付け方法を説明する一般的な図面であり、図２や図３の実施例と完全には整合しない。
【００３１】
以上を踏まえて、図２の実施例について図５〜図７を参照しつつ説明する。板材ＢＯを取り付けるには、先ず、接合金具ＥＱＵの第一部材１を中央の柱ＰＯに固定する（図５参照）。次に、第二部材の円柱軸部９を第一部材の円筒体５に挿入するが、その際には、板材ＢＯの延設方向を考慮しつつ、凹部７と凸部１２とを適宜に係合させて、第二部材２の延設方向の決定する（図５、図６参照）。
【００３２】
しかる後、第二部材２の上に板材ＢＯを載置し、下側から木ネジをネジ込むことによって、板材ＢＯを第二部材２に固定する。そして、抜け止めリング３を切欠溝に装着する。図７は、この状態を図示した図面である。また、補助金具ＳＵについても下側から木ネジをネジ込むことによって板材ＢＯと固定する。
【００３３】
このようにして、順番に板材ＢＯ１〜ＢＯ４を固定していくが、接合金具ＥＱＵの第一部材１と第二部材２との位置関係は３０°間隔で適宜に変更できるので、最適な位置で板材ＢＯと接合金具ＥＱＵを当接することができる（図４参照）。
【００３４】
なお、以上説明した取付け手順は、一例を説明したに過ぎず適宜に変更できるのは勿論である。また、具体的に説明した接合金具についても、本発明の趣旨を逸脱することなく適宜に変更できる。
【００３５】
例えば、実施例では、第一部材に屈曲片４ａを設けたが、第一部材１の取付け位置の自由度を高める趣旨からは、屈曲片４ａを設けない構成としても良い。そして、屈曲片４ａを設けない場合には、３つの円筒体５ａ，５ｂ，５ｃの構成に代えて、単一のメイン円筒体５ａとサブ円筒体５ｃを設ける構成が採用される。
【００３６】
また、サブ円筒体５ｃを設けないで、単一のメイン円筒体５ａのみからなる構成でも良く、その場合には、メイン円筒体５ａの下端面の近傍位置において、円柱軸部９に抜け止めリングが装着される。
【００３７】
以上、本発明の実施例について具体的に説明したが、記載内容は特に本発明を限定するものではない。例えば、実施例では、４枚の板材を用いたが、その枚数は適宜に選択され、例えば、図８のように、６枚の板材ＢＯ１〜ＢＯ６を用いて回り階段を構成することもできる。
【００３８】
【発明の効果】
以上説明したように、本発明によれば、複雑な作業を伴うことなく回り階段を構成できる接合金具を実現できる。また、複雑な作業を伴うことなく構成される回り階段、及びそのような回り階段を実現可能な建築物を実現できる。
【図面の簡単な説明】
【図１】実施例に係る接合金具を図示した斜視図である。
【図２】図１の接合金具を使用して構成した回り階段を示す平面図である。
【図３】図２の一部を拡大して図示した図面である。
【図４】接合金具の取付け状態を説明する図面である。
【図５】接合金具の取付け状態を説明する斜視図である。
【図６】第一部材と第二部材の位置関係を説明する図面である。
【図７】回り階段の完成状態を説明する断面図である。
【図８】他の実施例を説明する図面である。
【符号の説明】
ＰＯ    支持体（柱）
１      第一部材
ＢＯ    板材
２      第二部材
ＥＱＵ  接合金具
７      係合部（凹部）
１２    被係合部（凸部）
【図１】
2004238932.tif 000003
【図２】
2004238932.tif 000004
【図３】
2004238932.tif 000005
【図４】
2004238932.tif 000006
【図５】
2004238932.tif 000007
【図６】
2004238932.tif 000008
【図７】
2004238932.tif 000009
【図８】
2004238932.tif 000010